(57)【要約】【課題】ＥＧＲ手段を備えた圧縮着火式エンジンにおいて、燃料カットからの復帰時に生じ得る、燃焼騒音及びＲａｗＮＯｘ生成量を低減する。【解決手段】ＰＣＭ１００は、燃焼噴射を中断する燃料カット制御を実行している最中に、アクセルペダルＰが踏み込まれたときには、エンジン本体１０の運転状態が、アクセルペダルＰの踏み込みに対応する所定の運転状態となるように、インジェクタ２１による燃料の噴射を再開させると共に、その再開時には、燃焼室１７内に燃料を噴射する噴射タイミングを、この所定の運転状態に対応する噴射タイミングに対して所定のリタード量だけ遅らせる噴射リタード制御を実行する。【選択図】図３
2015194109.tif 000002
【特許請求の範囲】
【請求項１】
気筒を有するエンジン本体と、
前記エンジン本体の運転状態に対応した量の燃料を、該運転状態に対応した噴射タイミングで、前記気筒内に噴射する燃料噴射手段と、
前記気筒内の混合気を圧縮着火燃焼させることにより、前記エンジン本体を駆動させる制御手段と、
前記エンジン本体の運転状態に応じたＥＧＲ率となるように、前記気筒内に、前記燃焼により生じた排気ガスの一部を還流させるＥＧＲ手段と、を備え、
前記制御手段は、所定の条件に基づいて、前記燃料噴射手段の作動を強制的に中断させる燃料カット制御を実行し、
前記制御手段はさらに、前記燃料カット制御を実行している最中に、アクセルペダルが踏み込まれたことを検出したときには、前記エンジン本体の運転状態が、前記アクセルペダルの踏み込みに対応する所定の運転状態となるように、前記燃料噴射手段による燃料の噴射を再開させると共に、その再開時には、燃料の噴射タイミングを、前記所定の運転状態に対応する噴射タイミングに対して所定のリタード量だけ遅らせる噴射リタード制御を実行する圧縮着火式エンジンの制御装置。
【請求項２】
請求項１に記載の圧縮着火式エンジンの制御装置において、
前記気筒内でオゾンを生成するオゾン生成手段をさらに備え、
前記制御手段は、前記噴射リタード制御を実行している最中に、前記オゾン生成手段を所定の添加タイミングで作動させて、気筒内でオゾンを生成する圧縮着火式エンジンの制御装置。
【請求項３】
請求項１又は２に記載の圧縮着火式エンジンの制御装置において、
前記制御手段は、前記燃料の噴射の再開後、ＥＧＲ率が、前記所定の運転状態に応じたＥＧＲ率となるまで、前記噴射リタード制御を継続する圧縮着火式エンジンの制御装置。
【請求項４】
請求項３に記載の圧縮着火式エンジンの制御装置において、
前記制御手段は、前記ＥＧＲ率が、前記所定の運転状態に応じたＥＧＲ率に近づくにつれて、前記リタード量を小さくする圧縮着火式エンジンの制御装置。
【発明の詳細な説明】
【技術分野】
【０００１】
ここに開示する技術は、圧縮着火式エンジンの制御装置に関する。
【背景技術】
【０００２】
圧縮着火式エンジンとは、気筒内の混合気を自己着火させる燃焼方式（圧縮着火燃焼）を用いたエンジンである。この場合、点火プラグにより着火した火炎が燃え広がることによって混合気を燃焼させる方式とは異なり、気筒内の各所で同時多発的に混合気が着火する。よって、燃焼期間が短くなるため、熱効率の向上による燃費の向上が期待される。
【０００３】
特許文献１には、圧縮着火式エンジンのための制御装置において、減速時などに燃料の噴射を中断する制御（いわゆる燃料カット制御）を実行することにより、燃費等を向上させることが記載されている。この場合、燃料カット制御から復帰すると、気筒内への燃料の噴射、ひいては噴射された燃料の燃焼が再開する。このエンジンでは、燃料カット制御からの復帰時には、筒内温度が低下していて安定した圧縮着火燃焼が行えないことから、復帰直後は火花点火燃焼を行って、筒内温度が高まった後に、圧縮着火燃焼に切り替えるようにしている。
【先行技術文献】
【特許文献】
【０００４】
【特許文献１】特許第４１５９９１８号公報
【発明の概要】
【発明が解決しようとする課題】
【０００５】
ところで、圧縮着火式エンジンにおいて、圧縮着火のタイミングが早くなると（例えば圧縮上死点又はそれよりも前）、圧縮着火燃焼に伴う気筒内の圧力上昇が急峻になって、騒音（燃焼騒音）を招くという問題があり、さらには、燃焼温度、及び気筒内の圧力が過度に高くなることで、ＲａｗＮＯｘ生成が増大するという問題もある。
【０００６】
そこで、圧縮着火式エンジンにおいて、気筒から排出された排気ガスの一部をＥＧＲガスとして吸気通路に還流させる排気ガス再循環（ＥＧＲ）装置を用いることによって、圧縮着火のタイミングをコントロールして、急峻な圧力上昇を回避すると共に、いわゆる緩慢燃焼により燃焼温度を抑制してＲａｗＮＯｘ生成を抑止することが考えられる。
【０００７】
ところで、ＥＧＲガスを利用して、圧縮着火のタイミングのコントロール、及び緩慢燃焼を行うよう構成された圧縮着火式エンジンの制御装置において、前記のような燃料カット制御を実行可能なものを構成した場合、この制御装置が燃料カット制御を実行している最中には、混合気が燃焼しないため、気筒及び吸気通路内に排気ガス（具体的には、燃焼により酸素を消費した排気ガス）が新たに供給されることはない。そうした状況下で、アクセルペダルを踏み込むと、制御装置は、燃料噴射を再開すべく、当該ペダルの踏み込み量（開度）に応じてエンジンの運転状態を決定して、該運転状態に応じて、燃料噴射量、吸入空気量（吸気量）、そして、気筒内に吸入する全ガスに対する排気ガスの質量比（ＥＧＲ率）等を設定する。エンジンは、これらの設定に基づいて燃焼を再開することとなるが、前述の事情により、気筒及び吸気通路内には排気ガスが十分に存在しない。ゆえに、燃料供給を再開した直後は、ＥＧＲガスが不足して、設定したＥＧＲ率を達成できなくなる。
【０００８】
したがって、ＥＧＲガスが不足した分だけ、吸気中に占める新気が増加してしまうため、圧縮着火のタイミングが早まって、燃焼騒音が増大したり、燃焼温度が高くなって、ＲａｗＮｏｘの増加を招いたりする等の不都合を招く。
【０００９】
ここに開示する技術は、かかる点に鑑みてなされたものであり、その目的とするところは、ＥＧＲ装置を備えた圧縮着火式エンジンにおいて、燃料カットからの復帰時に生じ得る、燃焼騒音及びＮＯｘ生成の低減を図ることにある。
【課題を解決するための手段】
【００１０】
ここに開示する技術は、圧縮着火式エンジンの制御装置に係る。この制御装置は、気筒を有するエンジン本体と、前記エンジン本体の運転状態に対応した量の燃料を、該運転状態に対応した噴射タイミングで、前記気筒内に噴射する噴射手段と、前記気筒内の混合気を圧縮着火燃焼させることにより、前記エンジン本体を駆動させる制御手段と、前記エンジン本体の運転状態に応じたＥＧＲ率となるように、前記気筒内に、前記燃焼により生じた排気ガスの一部を還流させるＥＧＲ手段と、を備える。
【００１１】
前記制御手段は、所定の条件に基づいて、前記燃料噴射手段の作動を強制的に中断させる燃料カット制御を実行する。
【００１２】
前記制御手段はさらに、前記燃料カット制御を実行している最中に、アクセルペダルが踏み込まれたことを検出したときには、前記エンジン本体の運転状態が、前記アクセルペダルの踏み込みに対応する所定の運転状態となるように、前記燃料噴射手段による燃料の噴射を再開させると共に、その再開時には、燃料の噴射タイミングを、前記所定の運転状態に対応する噴射タイミングに対して所定のリタード量だけ遅らせる噴射リタード制御を実行する。
【００１３】
ここで、「所定の噴射タイミング」としては、例えば圧縮行程から膨張行程前期の期間で、噴射が開始するように、設定してもよい。膨張行程前期は、膨張行程を前期、中期及び後期に３等分したときの前期としてもよい。こうすることで、圧縮上死点付近において、混合気を圧縮着火させて燃焼させることが可能になる。
【００１４】
この構成によると、制御手段は、エンジン本体が定常運転しているときには、そのエンジン本体の運転状態に対応した量の燃料を、所定の噴射タイミングで気筒内に噴射させ、圧縮着火により燃焼させる。このときに、エンジン本体の運転状態に応じたＥＧＲ率となるように、気筒内には排気ガスが還流されており、これにより、圧縮着火のタイミングをコントロールして、圧縮着火燃焼による気筒内の圧力上昇が急峻になることを防止する。これは、燃焼騒音を抑制する。また、ＥＧＲガスは、圧縮着火燃焼の緩慢化により、燃焼温度が低下して、ＲａｗＮＯｘの生成を抑制する。
【００１５】
制御手段はまた、所定の条件に基づいて燃料カット制御を実行する。燃料カット制御を実行している最中は、気筒内で燃焼が行われないため、排気ガスがなくなる。そうして、燃料カット制御の最中に、アクセルペダルが踏み込まれて、燃料噴射を再開させるときには、アクセルペダルの踏み込みの程度に対応する所定の運転状態となるように、燃料噴射を再開する。つまり、所定の運転状態に対応する量の燃料を噴射する。
【００１６】
しかしながら、燃焼カット制御の最中に排気ガスがなくなっているため、燃料噴射を再開するときには、所定の運転状態に応じたＥＧＲ率となるように、排気ガスを還流させることができない。そのため、気筒内には、新気が余分に導入されており、所定の運転状態に対応する噴射タイミングで燃料を噴射したのでは、圧縮着火のタイミングが早まって、気筒内の圧力上昇が急峻になったり、燃焼温度が高くなって、ＲａｗＮＯｘが生成されたりする。そこで制御手段は、各サイクルにおける噴射タイミングを、所定の運転状態に対応する噴射タイミングに対して遅らせる（遅角させる）。そうすることによって、圧縮着火のタイミングも遅れるようになり、圧縮上死点から離れた時期に圧縮着火をして、その後、燃焼するようになる。その結果、圧縮着火燃焼による気筒内の圧力上昇が急峻になってしまうことが回避されると共に、燃焼温度が高くなることも防止される。こうして、ＥＧＲガスが不足する燃料カット制御からの復帰時に、燃焼騒音の抑制及びＲａｗＮＯｘの抑止が図られる。
【００１７】
また、前記気筒内でオゾンを生成するオゾン生成手段をさらに備え、前記制御手段は、前記噴射リタード制御を実行している最中に、前記オゾン生成手段を所定の添加タイミングで作動させて、気筒内でオゾンを生成する、としてもよい。
【００１８】
気筒内で生成したオゾンは、燃料の着火を誘発すると共に、燃焼を促進する。
【００１９】
前記構成によると、噴射タイミングを遅らせて圧縮着火のタイミングを、圧縮上死点から遅らせたときに、混合気内に所定の添加タイミングでオゾンを生成するようにした。これにより、気筒内の圧力が次第に低下をする膨張行程期間内において、過度に緩慢な燃焼を招くことなく、燃焼が適宜に促進されて、気筒内の燃料を燃やし尽くす上で有利になる。
【００２０】
こうしたオゾンを添加する添加タイミングとしては、燃料を噴射する前、燃料を噴射している最中、又は燃料が圧縮着火をして燃焼している期間で適宜設定すればよい。
【００２１】
また、前記制御手段は、前記燃料の噴射の再開後、ＥＧＲ率が、前記所定の運転状態に応じたＥＧＲ率となるまで、前記噴射リタード制御を継続する、としてもよい。
【００２２】
この構成によると、燃焼を再開したときに設定したＥＧＲ率に達するまで、噴射タイミングを遅らせるよう構成したから、燃料噴射を再開したときの燃焼騒音の発生等が、確実に防止される。
【００２３】
また、前記制御手段は、前記ＥＧＲ率が、前記所定の運転状態に応じたＥＧＲ率に近づくにつれて、前記リタード量を小さくする、としてもよい。
【００２４】
燃料カット制御から復帰した後、気筒内での燃焼が行われることで、吸気中に占めるＥＧＲガスの割合は、設定したＥＧＲ率に近づくように、徐々に増加していく。
【００２５】
この構成によると、吸気中に占めるＥＧＲガスの割合が設定値に近づくにつれて、リタード量をゼロに近づけるようにしたから、燃料供給を再開したときの燃焼騒音の発生等が、適切に防止される。
【発明の効果】
【００２６】
以上説明したように、前記の圧縮着火式エンジンの制御装置は、燃料カット制御からの復帰時に、ＥＧＲガスが不足することに対応して、気筒内に燃料を噴射するタイミングを遅らせるようにしたから、過早着火を防止しつつ、緩慢燃焼を実現することが可能であり、燃焼騒音及びＮＯｘの発生を抑止することができる。
【図面の簡単な説明】
【００２７】
【図１】圧縮着火式エンジンの構成を示す概略図である。
【図２】圧縮着火式エンジンの制御に係るブロック図である。
【図３】（ａ）は、通常の運転時における、噴射タイミングの一例と、噴射された燃料の燃焼に伴う熱発生率の例示、（ｂ）は、噴射リタード制御を実行している最中の噴射タイミングの一例と、そのときの熱発生率の例示である。
【図４】燃料カット制御、及び該燃料カット制御からの復帰時に実行される噴射リタード制御のフローチャート図である。
【図５】燃料カット制御及び噴射リタード制御を説明するタイムチャートである。
【図６】エンジンの運転領域を説明する説明図である。
【発明を実施するための形態】
【００２８】
以下、圧縮着火式エンジンの制御装置の実施形態を図面に基づいて説明する。以下の実施形態の説明は、例示である。
（エンジンシステムの全体構成）
図１〜２は、実施形態に係るエンジンシステム１の構成を示している。このエンジンシステム１は、車両に搭載されるシステムであり、エンジン本体（以下では、単にエンジンと記載）１０と、エンジン１０に付随する様々なアクチュエータ、様々なセンサ、及び該センサからの信号に基づきアクチュエータを制御する、制御手段としてのＰＣＭ（Powertrain Control Module）１００を含む。
【００２９】
以下では、エンジン１０、エンジン１０に付随する様々なアクチュエータ及びセンサについて、それぞれの構成の主要部について説明するが、周知のものを採用している部分については、一部を除き図示及び説明しないものとする。
【００３０】
このエンジン１０は、自動車等の車両に搭載されるように構成されていて、少なくともガソリンを含む燃料が供給される圧縮着火式エンジンである。
【００３１】
図１に示すように、エンジン１０は、シリンダブロック１１と、その上に載置されて固定されるシリンダヘッド１２と、を備えている。シリンダブロック１１の内部には、複数の気筒（図１ではただ１つのみを示すが、実際は、複数の気筒が直列に並んでいる）１３が形成されていると共に、気筒１３の並びに沿って延びるように、クランクシャフト１４が回転自在に支持されている。このクランクシャフト１４は、コネクティングロッド１５を介してピストン１６に連結されている。
【００３２】
ピストン１６は、各気筒１３内に、それぞれ摺動可能に嵌挿されていて、このピストン１６の頂面と、気筒１３の壁面と、シリンダヘッド１２の下面とによって、燃焼室１７が区画されている。この実施形態では、ピストン１６は、吸気行程、圧縮行程、膨張行程及び排気行程からなる一連のサイクルの過程で、ピストン１６の頂面がシリンダヘッド１２の下面に最も接近する上死点（ＴＤＣ）と、ピストン１６の頂面がシリンダヘッド１２の下面から最も離れる下死点（ＢＤＣ）との間を往復移動する。図１は、ピストン１６が上死点から下死点に移動している状態を概略的に示している。
【００３３】
エンジン１０は、燃料供給手段としての燃料供給装置２０を備えていて、この燃料供給装置２０は、インジェクタ２１と、燃料供給システム２２と、を含む。インジェクタ２１は、シリンダヘッド１２の燃焼室１７毎に取り付けられていて、各燃焼室１７内に燃料を直接噴射する（直噴）。このインジェクタ２１は、その先端の噴射口がシリンダヘッド１２の下面中央部から、燃焼室１７の内部に向けて臨むように配設されており、当該中央部から、燃焼室１７の内部に向かって放射状に広がるようにガソリンを噴射する。インジェクタ２１としては、外開弁式のインジェクタや、多噴口型のインジェクタを採用することが可能である。
【００３４】
この実施形態では、インジェクタ２１として、ピアゾ素子を用いて構成され、噴射口の高度な開度制御が可能なピアゾインジェクタ２１が用いられている。従って、この構成によると、エンジン１０の回転数が非常に大きい場合でも、単位時間当たりの噴射量や噴射タイミングなどを精度良く制御できるようになっている。
【００３５】
こうしたインジェクタ２１を作動させる燃料供給システム２２は、例えば、インジェクタ２１の開度を変更するための電気回路と、インジェクタ２１に燃料を供給する燃料供給系とを備えており、ＰＣＭ１００からの制御信号に従って、所定量の燃料を、所定のタイミングで燃焼室１７内に噴射するよう、燃料供給装置２０の作動を制御する。
【００３６】
ここで、エンジン１０の燃料は、本実施形態ではガソリンであるが、バイオエタノール等を含むガソリンであってもよく、少なくともガソリンを含む燃料（液体燃料）であれば、どのような燃料であってもよい。
【００３７】
ここで、シリンダヘッド１２の下側（燃焼室１７の上面側）にはさらに、オゾン生成手段としてのオゾン発生器３０が配設されている。このオゾン発生器３０は、例えばねじ止めなどの周知の構造によって、シリンダヘッド１２に取り付けられており、放電プラグ３１とオゾン発生システム３２とを備えている。
【００３８】
放電プラグ３１の先端部は、インジェクタ２１の噴射口の近傍から燃焼室１７に突出しており、周囲が電気的に絶縁された棒状の電極が設けられている。この構成によって、電極は、シリンダヘッド１２やシリンダブロック１１などから電気的に絶縁された状態で、燃焼室１７内に突出している。
【００３９】
オゾン発生システム３２は、高電圧に対応した電気回路を有しており、ＰＣＭ１００からの制御信号に従って、パルス状の高電圧を電極に印加して、電極の周囲にオゾンを発生させる。この電圧の大きさ、印加期間及びパルス幅等を適宜変更することによって、燃焼室１７内に生成するオゾンの濃度等を調整することができる。
【００４０】
シリンダヘッド１２にはまた、気筒１３毎に、インジェクタ２１に隣接して吸気ポート１８及び排気ポート１９が開口していて、それぞれが燃焼室１７に連通している。これら吸気ポート１８及び排気ポート１９には、燃焼室１７側から開口を閉塞することができるように、吸気弁４１及び排気弁４２がそれぞれに配設されている。吸気弁４１は吸気弁駆動機構により、排気弁４２は排気弁駆動機構により、それぞれ駆動され、それによって所定のタイミングで往復移動して、各ポート１８，１９を開閉し、燃焼室１７内のガス交換を行う。
【００４１】
吸気弁駆動機構及び排気弁駆動機構は、それぞれ吸気カムシャフト及び排気カムシャフトを有する。これらのカムシャフトは、周知の動力伝達機構を介して前記クランクシャフト１４に駆動連結されていて、クランクシャフト１４の回転に連動して回転する。吸気弁駆動機構及び排気弁駆動機構は、例えばスイングアームを備えたロッカーアーム式に構成されている。
【００４２】
この実施形態では、少なくとも吸気弁駆動機構は、吸気カムシャフトの位相、ひいては吸気弁４１の開閉時期を変更可能な、例えば電動式のバルブ位相可変機構（Variable Valve Timing：ＶＶＴ）４３を含んで構成されている。吸気弁駆動機構はさらに、ＶＶＴ４３に加えて、吸気弁４１の移動量（弁リフト量）を連続的に変更可能な、連続可変バルブリフト機構（Continuous Variable Valve Lift：ＣＶＶＬ）４４も含んで構成されている。ＶＶＴ４３及びＣＶＶＬ４４は、ＰＣＭ１００からの制御信号に従って、所定量のガスを所定のタイミングで燃焼室１７内に導入するよう、吸気弁４１の開閉量及び開閉タイミングを調整する。
【００４３】
各燃焼室１７の吸気ポート１８は、吸気通路５０に連通している。一方で、各燃焼室１７の排気ポート１９は、排気通路６０に連通している。
【００４４】
吸気通路５０の上流側端部には、外部から吸入した空気を濾過するエアクリーナが配設されている一方で、吸気通路５０における下流端近傍には、サージタンク５１が配設されている。このサージタンク５１よりもさらに下流側の吸気通路５０は、燃焼室１７毎に分岐する独立通路とされ、これら各独立通路の下流端が各燃焼室１７の吸気ポート１８にそれぞれ接続されている。
【００４５】
吸気通路５０におけるエアクリーナとサージタンク５１との間には、各燃焼室１７への吸入空気量を調節するスロットル弁５２が配設されていて、ＰＣＭ１００からの制御信号に従って、所定量の新気を導入するように、スロットル弁５２の開閉量を調整する。
【００４６】
排気通路６０の上流側の部分は、燃焼室１７毎に分岐して排気ポート１９の外側端に接続された独立通路と該各独立通路が集合する集合部とを有するように構成されている。この排気通路６０における集合部よりも下流側には、排気ガス中の有害成分を浄化する排気浄化装置が接続されていて、この排気浄化装置としては、例えば、筒状ケースと、そのケース内の流路に配置した、例えば三元触媒とを備えて構成されている。この排気浄化装置のさらに下流側には、例えばマフラーが接続されていて、浄化した排気ガスを外部に排出する。
【００４７】
吸気通路５０におけるサージタンク５１とスロットル弁５２との間の部分と、排気通路６０における排気浄化装置よりも上流側の部分とは、排気ガスの一部を吸気通路５０に還流するための、ＥＧＲ手段としてのクールドＥＧＲ７０を介して接続されている。このクールドＥＧＲ７０は、排気ガスをエンジン冷却水によって冷却するためのＥＧＲクーラ７２が配設されたＥＧＲ通路７１を含んで構成されていて、このＥＧＲ通路７１には、排気ガスの吸気通路５０への還流量を調整するためのＥＧＲ弁７３が配設されている。ＰＣＭ１００からの制御信号に従って、このＥＧＲ弁７３の開閉量を調整することによって、スロットル弁５２と協働して所定のＥＧＲ率を実現するように構成されている。
【００４８】
エンジン１０は、その幾何学的圧縮比が高く設定されている。幾何学的圧縮比εは、例えば２０≦ε≦４０、好ましくは２５≦ε≦３５である。エンジン１０は、点火プラグによる点火を行わずに、インジェクタ２１より燃焼室１７内に噴射した燃料を、圧縮着火によって燃焼させる。
【００４９】
具体的には、この実施形態では、圧縮上死点の手前４０度から１８０度付近（ＢＴＤＣ４０〜１８０度付近）にて、吸気弁４２が吸気ポート１８を閉塞するようになっている。
【００５０】
そして、圧縮行程において、ピストン１６が図１の紙面上方に移動することによって、取り込んだガスを断熱的に圧縮する。吸気行程から圧縮行程の期間内で、インジェクタ２１が作動して、燃焼室１７内で図１の紙面下方に向けて放射状に広がるように燃料を噴射する。こうして、燃焼室１７内に、ガスと燃料とが混合した混合気を生成する。
【００５１】
生成した混合気は、気体の圧力等により定まる発火点に達し次第、自発火（圧縮着火）して、それによって燃焼する。具体的には、圧縮上死点付近において発火点に達し、燃焼室１７内の各所において、同時多発的に自己着火する。着火した混合気は、図３（ａ）に示すように、燃焼の進行に伴って、所定の高さ及び幅を有するような熱量を発生する。燃焼重心は、この実施形態では、膨張行程前期、具体的には、圧縮上死点を通過した５度付近（ＡＴＤＣ５度付近）になるように設定されている。そして、この熱量によって急激に膨張したガスがピストン１６を図１の紙面下方に押し動かすことによって、クランクシャフト１４が回転し、その回転によるトルクが駆動力としてエンジン１０から出力される。エンジン１０からの出力を、変速機を介して連結された駆動輪に伝達することによって、車両が推進する。
【００５２】
その後、排気弁４２が動作して排気ポート１９が開口し、気筒１３内のガスを当該ポート１９より排気ガスとして排出する。
【００５３】
このとき排出されるガスの一部は、ＥＧＲ弁７３の開度に応じて、ＥＧＲ通路７１を経由して、冷却された上でサージタンク５１に流入する。そして、外部から新たに導入された新気と混合して、吸気ポート１８から再び燃焼室１７内に導入され、混合気として再利用される。その一方で、排出される他のガスは、排気浄化装置を通過して、外部に排気される。
【００５４】
以下では、このように駆動するよう構成されたエンジン１０の作動を制御するＰＣＭ１００の構成の主要部について説明するが、周知のものを採用している部分については、一部を除き図示しないことにする。
【００５５】
ＰＣＭ１００は、周知のマイクロコンピュータをベースとするコントローラであって、プログラムを実行する中央演算処理装置（ＣＰＵ）と、例えばＲＡＭやＲＯＭにより構成されてプログラム及びデータを格納するメモリと、電気信号の入出力をする入出力（Ｉ／Ｏ）バスと、を備えている。
【００５６】
ＰＣＭ１００には、図２に示すように、少なくとも、車両の推進速度（車速）を検出する車速センサＳＷ１、アクセルペダルＰの踏み込み量（アクセル開度）を検出するアクセル開度センサＳＷ２、及びエンジン１０の出力回転（エンジン回転数）を検出するエンジン回転数センサＳＷ３が接続されていて、各センサの検出値をＰＣＭ１００に入力する。
【００５７】
ＰＣＭ１００にはまた、吸気通路５０内の上流側に設けられ、吸気通路５０を流れる新気の流量を検出するエアフローセンサＳＷ４が接続されていて、その検出値をＰＣＭ１００に入力する。
【００５８】
ＰＣＭ１００は、前述した各センサ等からの入力に基づいて、エンジン１０や車両の状態を判断し、それに対応した燃料噴射、吸気及び放電等が行われるように、エンジン１０の制御パラメータを設定する。そしてＰＣＭ１００は、設定した各制御パラメータに基づいた制御信号を、燃料供給システム２２、オゾン発生システム３２、ＶＶＴ４３、ＣＶＶＬ４４、スロットル弁５２及びＥＧＲ弁７３等に出力して、エンジン１０を作動させる。
【００５９】
ＰＣＭ１００は、エンジン１０を作動させるとき、アクセルペダルＰの踏み込み量（アクセル開度）に応じて定まるエンジン負荷と、エンジン１０のエンジン回転数とに応じて、空燃比（Ａ／Ｆ）、ＥＧＲ率、吸入空気量、燃料噴射量、噴射タイミング、吸気弁４１の開閉タイミング、及びオゾンを添加するタイミング等を設定し、それら設定値を目標として種々のアクチュエータを作動させる。
【００６０】
なお、エンジン負荷は、図６に示すように、当該図面において実線で示す所定の負荷よりも高い運転領域Ｒ１と、それよりも低負荷側の運転領域Ｒ２とに区分される。
【００６１】
この実施形態では、高負荷側の運転領域Ｒ１において、空気過剰率λを１（つまり、Ａ／Ｆを約１４．７に設定する）に設定する。この運転領域Ｒ１は、比較的多量の燃料を燃焼させる領域であって、以下ではλ１領域とも記載する。λ１領域では、インジェクタ２１が燃料噴射を開始する噴射開始タイミング（以下では、こうした噴射開始タイミングを噴射タイミングとも記載）が、圧縮行程終期から膨張行程初期に設定される。ここでいう、圧縮行程終期は、圧縮行程を、初期、中期、及び終期の３つに３等分したときの初期に相当する。λ１領域では、燃料噴射量が相対的に多くかつ、混合気の空燃比を理論空燃比に設定していることで、圧縮着火燃焼による気筒１３内の圧力上昇が急嵯になって、燃焼騒音が増大してしまう可能性が有る。そのため、λ１領域では、燃料の噴射タイミングを比較的遅く設定することで、圧縮着火のタイミングを、圧縮上死点から離れた膨張行程内にして、それによって、圧縮着火燃焼を、気筒１３内の圧力が低下する膨張行程中に設定する。λ１領域での燃料噴射は、一括で行ってもよいし、エンジントルクを生成する主燃焼（１サイクル中で最も大きな熱量を発生させる燃焼）を生じさせるための主噴射と、その主噴射の前に行う前段噴射とに分けて行ってもよい。λ１領域では、エンジン１０の運転状態に応じて燃焼の噴射開始タイミング（この噴射開始タイミングは、主噴射の噴射開始タイミングに相当する）が設定される。
【００６２】
その一方で、低〜中負荷側の運転領域Ｒ２においては、燃焼室１７内の空気過剰率λを例えば、２．０以上（つまり、Ａ／Ｆが約３０以上）に設定する。この運転領域Ｒ２は、以下では、リーン領域とも記載する。リーン領域では、インジェクタ２１による燃焼噴射の開始タイミングが、例えば圧縮行程終期に設定される。リーン領域では、燃料噴射量が相対的に少なくかつ、混合気の空燃比を理論空燃比よりもリーンに設定していることで、圧縮着火燃焼による気筒１３内の圧力上昇が抑制される。そのため、リーン領域では、燃料の噴射開始タイミングを相対的に早く設定する。リーン領域での燃料噴射は、一括で行ってもよいし、分割で行ってもよい。リーン領域でも、エンジン１０の運転状態に応じて燃焼の噴射開始タイミングが設定される。
【００６３】
ＰＣＭ１００は、車両が減速している最中に所定の条件（燃料カット条件）が成立したとき、例えばアクセルペダルＰが踏みこまれておらず（アクセル開度がゼロ）且つ、エンジン回転数が所定の回転数以上である、と判断したときには、インジェクタ２１による燃焼室１７内への燃料噴射を中断する燃料カット制御を実行する。
【００６４】
燃料カット制御を実行している最中、エンジン１０は惰性によって動作を継続する。このとき、燃焼室１７内では燃焼が生じないため、当該制御を実行すると、ＥＧＲ率は、ゼロに向けて減少していくが、吸気通路５０及びＥＧＲ通路７１に残存する排気ガス等により、実際のＥＧＲ率は、ＥＧＲ率をゼロに設定した後、やや遅れてゼロに達する。
【００６５】
そして、燃料カット制御を実行している最中に、アクセルペダルＰを踏みこんで再加速をするか、エンジン回転数が所定の回転数を下回るかをすると、ＰＣＭ１００は、燃料カット制御を終了して、燃料噴射を再開する。
【００６６】
特に、前者の場合については、アクセルペダルＰの踏み込み量に応じて、燃料供給を再開した後のエンジン１０の運転領域を設定し、その設定とエンジン負荷とエンジン回転数とに基づいて、Ａ／Ｆ、吸入空気量、燃料噴射量、着火コントロール用噴射時期（（主噴射の）噴射タイミング）、ＥＧＲ率等を設定し、設定に基づいてエンジン１０を運転する。
【００６７】
しかしながら、燃料噴射を再開した直後の数サイクルについては、それまで燃焼が行われておらず、排気ガスが存在しないため、後述するように、実際のＥＧＲ率は、やや遅れて所定の設定値に達する。
（噴射リタード制御に係るエンジンの燃料噴射制御）
ＰＣＭ１００はまた、燃料カット制御からの復帰時には、前記したようなＥＧＲ率の増加の遅れに対応すべく、インジェクタ２１を作動させるタイミングを、設定されたタイミングに対して、所定の期間にわたって遅らせる噴射リタード制御を実行する。これにより、燃焼騒音の増大やＲａｗＮＯｘの生成を防止する。
【００６８】
以下では、この噴射リタード制御について詳細に説明するために、主にＰＣＭ１００が実行する、前記燃料カット制御、及び該制御からの復帰時に実行される噴射リタード制御の一例を示すフローチャート（図４）と、こうした制御を実行したときのエンジン１０の振る舞いを示すタイムチャート（図５）と、燃料が燃焼するときの熱発生率を示す説明図（図３）と、図５に示すタイムチャートに対応して、エンジン１０の運転状態の移り変わりを示す説明図（図６）と、を用いて詳細に説明する。ここで説明する例は、図６にＡ１、Ａ２及びＡ３の矢印で示すように、λ１領域内で定常運転をしている状態から、アクセルペダルＰの踏み込みを解除して減速している最中に燃料カット制御を実行して、その後、アクセルペダルＰを踏み込んで、エンジン１０の運転状態が、λ１領域内の運転状態に至るまでの、エンジン１０の振る舞いである。
【００６９】
まず、図５のＴ０からＴ１にかけての期間では、エンジン１０は定常運転する。つまり、この期間では、アクセル開度は一定に保持されており、そのアクセル開度に応じて設定されたエンジン負荷に基づいて、運転領域Ｒ１（λ１領域）が選択される。そして、前記したように、ＰＣＭ１００によって、エンジン負荷及びエンジン回転数に応じて、その運転領域Ｒ１に対応するように、ＥＧＲ率（気筒１３内に流入する全ガスに対する排気ガスの質量比）、吸入空気量、燃料噴射量及び噴射タイミングが設定される。例えば、噴射タイミングについては、圧縮上死点前５度に選ばれている。
【００７０】
次に、図５のＴ１からＴ２にかけての期間では、車両を減速すべく、アクセルペダルＰの踏み込みが解除されて、アクセル開度が単調に減少する。この期間では、アクセル開度の減少に応じて燃料噴射量が減少すると共に、空気過剰率λ（図５では、空気過剰率λではなくＡ／Ｆを示している）を一定に保つべく、吸入空気量も減少する。ところが、吸入空気量はアクセル開度よりも遅れて減少すると共に、燃料噴射量は、この遅れに合わせるような速度で減少する。つまり、図５の実線で示すように、吸入空気量及び燃料噴射量は、図５の破線で示す目標に対して遅れて減少する。
【００７１】
また、噴射タイミングについては、圧縮上死点前５度から１０度に向けて増大（進角）する。この噴射タイミングについても、図５の破線に示す目標に遅れて、該図の実線に沿って増大する。
【００７２】
時間Ｔ２に達すると、アクセル開度がゼロに達する。
【００７３】
ＰＣＭ１００は、図４のステップＳ１及びＳ２に示すように、回転数センサＳＷ２及びアクセル開度センサＳＷ３からの入力を基に、アクセル開度がゼロで且つ、エンジン回転数が所定値を超えているか否かを判定するよう構成されており、この判定がＹＥＳであるときには、燃料カット条件を満たしたとしてステップＳ３に進み、燃料カット制御を実行する。この場合、エンジン回転数が十分に大きいものとすると、アクセルペダルＰの踏み込みが解除されて、アクセル開度がゼロになったから、燃料噴射を中断する燃料カット制御を実行すべく、燃料供給システム２２、スロットル弁５２及びＥＧＲ弁７３等に制御信号を出力する（ステップＳ３）。
【００７４】
燃料カット制御を実行することによって、図５のＴ２からＴ３にかけての期間では、燃料噴射量は、ゼロに達するまで減少を継続する一方、吸入空気量は、最低限のガスを吸入するよう、所定の値（min）まで減少する。噴射タイミングについては、燃料噴射量の減少に伴う進角を継続する。
【００７５】
図５のＴ０からＴ３にかけての期間では、エンジン負荷の減少に伴って、図６の矢印Ａ１に示すように、運転領域Ｒ１からＲ２に移行する。
【００７６】
ＥＧＲ率については、燃焼が継続している間は、ほとんど低下せず、燃焼終了以降である図５のＴ３以降の期間において、単調に減少することになる。ＥＧＲ率は、図５の破線に示す目標に対して大きく遅れる。ＥＧＲ率は、燃料噴射量がゼロになってＥＧＲガスとして利用可能な排気ガス（燃焼によって酸素を消費したガス）が新たに生成されなくなってから、時間Ｔ４（＞Ｔ３）でゼロ（つまり、ＥＧＲ率＝０％）に達する。
【００７７】
そして、図５のＴ３からＴ５にかけての期間では、燃料カット制御が継続しているため、エンジン１０は、燃料の燃焼を伴わずに、最低限の吸入空気量の下で、惰性で動作する。この期間では、エンジン回転数は、図６の矢印Ａ２に示すように、単調に減少する。
【００７８】
図５のＴ５からＴ６にかけての期間では、車両を再加速すべく、アクセルペダルＰが再び踏み込まれて、アクセル開度が単調に増大する。
【００７９】
ＰＣＭ１００は、図４のステップＳ３から続くステップＳ４及び５において、ステップＳ１及びＳ２と同様に、回転数センサＳＷ２及びアクセル開度センサＳＷ３からの入力に基づいて、燃料カット制御から復帰する条件、すなわち、アクセル開度がノンゼロであること（つまり、アクセルペダルＰが踏み込まれたこと）、又はエンジン回転数が所定値以下であるか否かを判定する。この場合、前記したように、アクセルペダルＰが再び踏み込まれているから、車両の再加速が指示されたとして図４のステップＳ６に進み、燃料カット制御から復帰する。
【００８０】
続くステップＳ６では、ＰＣＭ１００は、燃料カット制御から復帰するように、すなわち、インジェクタ２１からの燃料噴射を再開するよう制御信号を出力する。つまり、アクセル開度より算出されるエンジン負荷に基づいて、エンジン１０の運転領域（運転状態）を選択する。この場合、エンジン負荷の増大に伴って、図６の矢印Ａ３に示すように、運転領域Ｒ２から再び運転領域Ｒ１に移行する。そして、ＰＣＭ１００は、この運転領域Ｒ１中で選択したエンジン１０の運転状態に対応するよう、Ａ／Ｆ、ＥＧＲ率、吸入空気量、燃料噴射量及び噴射タイミング等を設定し、設定したパラメータに基づいて燃料噴射を再開すべく、種々のアクチュエータに制御信号を出力する。
【００８１】
これによって、吸入空気量及び燃料噴射量が増加を始め、燃料の燃焼が再開する。図５に示すように、Ｔ５からＴ６にかけての期間では、吸入空気量は、設定値よりもやや遅れて増加すると共に、その増加に合わせて、燃料噴射量もやや遅れて増加する。そして、時間Ｔ６以降は、アクセル開度が一定に保持されているため、それに応じて、吸入空気量及び燃料噴射量も一定に保持される。このときのアクセル開度（エンジン負荷）は、Ｔ０からＴ１にかけてのアクセル開度（エンジン負荷）よりも小さく、それに応じて、Ｔ６以降の吸入空気量及び燃料噴射量は、Ｔ１以前よりも小さくなるよう設定される。
【００８２】
なお、図４のステップＳ６にて燃料噴射を再開してから続くステップＳ７では、燃料噴射の再開が、アクセルペダルＰの踏み込みによる復帰であるか否かを判定して、この判定がＮＯであるときには、自然復帰を実行する一方、この判定がＹＥＳであるときには、ＥＧＲガスの不足に対応するよう、噴射リタード制御を実行する。この場合、アクセルペダルＰの踏み込みによる復帰であるから、噴射リタード制御を実行する。
【００８３】
つまり、燃料カット制御から復帰して再加速するとき、ＥＧＲ率については、前記設定値に向けてＥＧＲ率を上昇させようとしても、燃料の噴射を再開した直後は、ＥＧＲガスとして利用できる排気ガスは、燃焼室１７、排気通路６０、ＥＧＲ通路７１及び吸気通路５０のいずれにも残存していない。ゆえに、燃料の燃焼が所定の期間にわたって行われて、排気ガスの還流が安定するまでは、ＥＧＲ率は設定値に達しない。つまり、ＥＧＲ率は、燃料カット制御から復帰した後、吸入空気量や燃料噴射量よりも、大きく遅れて増加する。
【００８４】
吸入空気量及び燃料噴射量が設定値に達している一方で、ＥＧＲ率が設定値に達していない場合、気筒１３内には、ＥＧＲガスが不足して、新気が過剰に導入された状態となる。
【００８５】
燃料カット制御から復帰した後の噴射タイミング（つまり、燃料噴射を開始するタイミング）は、吸入空気量、燃料噴射量及びＥＧＲ率と同様に設定された、所定の設定値（図５では圧縮上死点前５度）に向けて変化するように調整されるが、前述のようなＥＧＲガスの不足に対応するために、燃料カット制御から復帰した直後の所定期間については、設定値よりも遅角側で噴射するよう、噴射リタード制御を実行する。
【００８６】
ＰＣＭ１００は、噴射リタード制御を実行すべく、各センサからの入力等を基に、燃料噴射を再開した後の、燃焼室１７内の温度圧力、Ａ／Ｆ、ＥＧＲ率等の推移を推定して、その推定結果に基づいて、噴射タイミングを遅らせる噴射リタード量を設定する（図４のステップＳ８）。噴射リタード量の設定については、後述するように、遅らせる量の最大値や、その時間変化等が定められる。そして、設定した噴射リタード量に基づいて噴射タイミングを設定して、噴射リタード制御を開始すべく、種々のアクチュエータに制御信号を出力する。（図４のステップＳ９）
図５において、Ｔ５以降の噴射タイミングのタイムチャートは、燃料カット制御からの復帰時における、噴射リタード制御を実行しないときの噴射タイミングの設定値を意味し、実線は、噴射リタード制御を実行したときの噴射タイミングの設定値を意味する。
【００８７】
噴射リタード制御を実行しないときの噴射タイミングの設定値と、噴射リタード制御を実行したときの噴射タイミングの設定値との間の差分を示したのが、図５の最下段に示す噴射リタード量（以下、単にリタード量と記載）である。図に示すように、リタード量は、アクセルペダルＰの踏み込みに伴って（つまりＴ５からＴ６にかけて）０度から１２度まで単調に上昇した後、時間の経過に従って、０度に向けて単調に減少していく。このリタード量は、ＥＧＲ率が設定値に達すると同時に（つまり時間Ｔ７で）ゼロになるように設定されている（図４のステップＳ８）。すなわち、ＥＧＲガスを安定して供給できるようになったときに、燃料を、遅角させずに、通常の噴射タイミングで噴射する。
【００８８】
以上より、エンジン１０の運転状態に応じて設定される目標の噴射タイミングは、Ｔ５からＴ６にかけて圧縮上死点前１０度から５度に遅角した後、Ｔ６以降は圧縮上死点前５度を保持するように推移する一方、噴射リタード制御時においては、Ｔ５からＴ６にかけて圧縮上死点前１０度から膨張行程中まで遅角した後、Ｔ６からＴ７にかけて、圧縮上死点前５度に向けて徐々に進角する。
【００８９】
このときのエンジン１０のサイクルについて説明すると、図３（ｂ）の破線に示すように、燃料カット制御から復帰した直後は、ＥＧＲ率の上昇の遅れから、燃焼室１７内の混合気は、過度の着火性を有することになる。したがって、通常時（噴射リタード制御を実行していないとき）の噴射タイミングの設定を利用すると、この混合気は、燃焼室１７内で過早着火を生じてしまう。これは、気筒１３内の圧力上昇を急峻にして、燃焼騒音を増大する。また、燃焼温度を高くして、ＲａｗＮＯｘの生成を招く。
【００９０】
一方、噴射リタード制御を実行しているときには、図３（ｂ）の実線に示すように、噴射タイミングを遅角側にずらしているから、圧縮着火のタイミングを、圧縮上死点から離れた膨張行程中に設定することが可能になる。そのため、圧縮着火燃焼の時期も、圧縮上死点から離れるようになり、圧力上昇率が急峻になることが防止される。また、燃焼温度も低下する。その結果、燃焼騒音及びＲａｗＮＯｘの生成を、共に防止することが可能になる。
【００９１】
さらに、噴射リタード制御を実行しているとき、燃焼室１７内に所定の添加タイミングでオゾンを供給するように、所定のタイミングで放電プラグ３１に印加して、混合気にオゾンを添加する（図４のステップＳ１０）。
【００９２】
具体的には、前述したように、圧縮着火のタイミングを遅らせ、それによって、圧縮着火燃焼が進行する時期を、膨張行程中の比較的遅い時期に設定しているため、混合気の燃焼期間を、燃焼期間前期と、燃焼期間後期とに２分したときの燃焼期間後期においては、気筒１３内の温度及び圧力が低くなって、燃料が燃え残ってしまう恐れがある。そこで、この実施形態では、燃料を噴射する前、噴射している最中、及び／又は混合気が燃焼している最中に、オゾンを添加するよう設定することによって、圧縮着火の安定性を確保すると共に、燃え残りの発生を予防する。
【００９３】
このようにして、噴射リタード制御により調整された噴射タイミングは、前記したように、エンジン１０の運転が進行するに伴って、徐々に通常の噴射タイミングに近づいていく。つまり、図３（ｂ）の実線で示したタイミングから、図３（ａ）で示したタイミングに近づいていくことになって、双方が一致したとき、つまり噴射リタード制御が終了したとき（図４のステップＳ１１）、オゾンの添加も終了する（図４のステップＳ１２）。
【００９４】
以上より、ＰＣＭ１００は、燃料カット制御を終了して、燃料噴射を再開（再加速）させるときには、再開直後におけるＥＧＲガスの不足を補うべく、圧縮上死点付近における噴射タイミングを遅角させる。そうすることによって、混合気の緩慢燃焼を実現するから、燃焼騒音を低減すると共に、ＲａｗＮＯｘの生成を抑止する。
【００９５】
ＰＣＭ１００はまた、噴射リタード制御を実行すると共に、所定の添加タイミングで、燃焼室１７内の混合気にオゾンを添加するようにしたから、圧縮着火の安定化を図り、
燃焼室１７内に噴射された燃料を燃やし尽くす上で有利になる。
【００９６】
ＰＣＭ１００はまた、燃料噴射を再開するときに設定したＥＧＲ率に達するまで、噴射リタード制御を継続するよう構成したから、燃料噴射を再開したときの燃焼騒音の発生等を、確実に防止することができる。
【００９７】
ＰＣＭ１００はまた、ＥＧＲ率が所定の設定値に近づくにつれて、リタード量をゼロに近づけるようにしたから、気筒１３内のガスの状態に応じた燃焼を行うことが可能になる。
【００９８】
また、ＥＧＲ手段として、排気ガスを冷却させた上で還流させるクールドＥＧＲ７０を使用しているため、緩慢燃焼を実現する上で有利になる。
＜他の実施形態＞
ＰＣＭ１００による制御の例として、図４のフローチャートに基づく制御について説明したが、必ずしもこの構成に限定されるわけではない。各ステップの順番を、可能な範囲において変更することができる。また、可能な範囲において、これらのステップを並行して行うように構成してもよい。
【００９９】
また、燃料カット制御、及び噴射リタード制御を実行したときの種々のパラメータの振る舞いの一例として、図５のタイムチャートを用いて説明したが、必ずしもこれに限定されるわけではない。図５における各パラメータの数字、及び時間の経過に伴う変化等は例示に過ぎないため、可能な範囲において変更することができる。また、前記実施形態では、
燃料噴射の再開後にエンジン１０の運転状態がλ１領域に至るときの制御について説明したが、それに限定されるわけではない。運転状態がリーン領域内の運転状態に至るときについても同様である。
【０１００】
噴射リタード制御を実行している最中に、オゾン発生器３０を作動させて混合気にオゾンを添加する構成について説明したが、必ずしもオゾンを添加する必要はない。また、オゾンを添加する方法についても可能な範囲において変更することができる。
【０１０１】
また、ＥＧＲ率が所定の設定値に達するまで、噴射タイミングを遅らせる構成について説明したが、この構成に限定されるわけではない。所定のＥＧＲ率に達する前に噴射タイミングを戻すようにしてもよい。
【０１０２】
また、ＥＧＲ率が所定の設定値に近づくにつれて、リタード量を減少させる構成について説明したが、この構成に限定されるわけではない。例えば、ＥＧＲ率が増加を始めてから所定の設定値に達するまで、リタード量を一定に保つようにしてもよい。
【０１０３】
吸気通路５０、及び排気通路６０の構成についても変更することができる。例えば、クールドＥＧＲ７０において、ＥＧＲクーラ７２をバイパスするためのバイパス通路を設けることができる。そうした場合、ＥＧＲガスの温度、ひいては混合気の着火性をより高度に制御できるようになる。
【０１０４】
ここに開示する技術は、ターボ過給機付きエンジンに適用することも可能である。
【０１０５】
吸気弁駆動機構にＣＶＶＬ４４を含む構成は、必須ではない。
【産業上の利用可能性】
【０１０６】
以上の様に、ＥＧＲ手段を備えた圧縮着火式エンジンの制御装置において、燃料カット制御からの復帰時に生じる燃焼騒音等を低減できるものであり、産業上の利用可能性はある。
【符号の説明】
【０１０７】
１０  エンジン本体
１３  気筒
１００  ＰＣＭ（制御手段）
２０  燃料供給装置（燃料供給手段）
３０  オゾン発生器（オゾン生成手段）
７０  クールドＥＧＲ（ＥＧＲ手段）
Ｐ  アクセルペダル
【図１】
2015194109.tif 000003
【図２】
2015194109.tif 000004
【図３】
2015194109.tif 000005
【図４】
2015194109.tif 000006
【図５】
2015194109.tif 000007
【図６】
2015194109.tif 000008